(57)【要約】【課題】  洗浄便座や暖房便座などの便座ユニットの便座などを便座の材質を問わず、使用の都度簡単な操作にて、短時間に何回でも繰り返し使用できる殺菌装置。【解決手段】  殺菌力を有する紫外線ＵＶ−Ａ（近紫外線）、ＵＶ−Ｂ（中紫外線）、ＵＶ−Ｃ（遠紫外線）の３領域の波長を有する殺菌灯などを用いて行う。なかでも極めて強い殺菌力と長時間寿命の特性をもつ「ＴＵＶ−Ｃランプ」を使用して、充分な殺菌効果を発揮できる近距離から照射すれば、約１５秒間という短時間に高い殺菌効果を得ることができる。そのための具体的な手法として便座の形状に合わせた「便座形遠紫外線殺菌ユニット」を考案し、光波が便座上に平均的に照射できるようにした。この殺菌装置を便座蓋の裏側に装着することにより、正確に、簡単に、何回でも繰り返し、且、安全に殺菌対象である便座上にセッテングすることを可能とした。【選択図】  図１
2005137822.tif 000002
【特許請求の範囲】
【請求項１】
殺菌力を有する紫外線ＵＶ−Ａ（近紫外線）・ＵＶ−Ｂ（中紫外線）・ＵＶ−Ｃ（遠紫外線）の３領域のなかから、特に殺菌力に強い特性をもつＵＶ−Ｃの２５３・７ｎｍ（ナノメートル）を選択し、光波が便座上に平均的に照射できるように便蓋の裏側に便座の形状に合わせた「便座形殺菌灯ユニット」を考案し、これを装着することにより、便座表面を直接照射できるようにしたこと。
【請求項２】
請求項１で便座の形状にそって、平均的に殺菌灯を便座に近付ける工夫を記したが、次に殺菌装置の装着を立面的に、少なくとも１０ｃｍ以内から、便座表面全体を平均的に照射できるようにするための位置を便座の裏側に特定すること。
【発明の詳細な説明】
【技術分野】
【０００１】  本発明はトイレで使用する暖房便座、あるいは洗浄便座などの便座ユニットに関するものである。
【技術背景】
【０００２】  従来の中圧や高圧水銀灯に比較して、低圧でＵＶ−Ｃ出力効率が格段に高く、ランプの寿命は８０００時間、約１０秒間の照射で、充分な殺菌力を発揮する遠紫外線による長寿命殺菌灯が商品化された。
【非特許文献１】「日本フィリップス株式会社  紫外線低圧水銀ランプカタログ」
【発明の開示】
【発明が解決しようとする課題】
【０００３】  便座ユニットのなかで、人の肌が直接接触する部分で、しかも雑菌に犯されやすい便座を清潔にしたい。誰でも簡単に、短時間にくり返し使用できる殺菌装置。
【課題を解決するための手段】
【０００４】  第一には「０００２」の技術背景にある１８０〜２８０ｎｍの遠紫外線領域のなかから、特に殺菌能力の高い２５３・７の波長をもつＵＶ−Ｃランプを便座の形状に合わせて製作し、他の殺菌効果も組み合わせた「便座形遠紫外線殺菌灯ユニット」を考案しこれを便座に直接照射することで充分な殺菌力を得られることが判明した。【０００５】  第二には、便座表面から１０ｃｍ程度の至近距離から、約１５秒間の一定時間、その遠紫外線光波をなるべく平均的にしかも殺菌効果を発揮しやすい直近から照射する殺菌装置の「便座形遠紫外線殺菌灯ユニット」の装着場所を工夫することにあったが、これを便座の真上に位置する便蓋の「裏側の活用」に求めたことにより解決した。
【発明の効果】
【０００６】  「０００４」及び「０００５」を組合わせることにより遠紫外線殺菌灯のもつ能力を便座上に引き出すことが可能となり、Ｏ−１５７を含む大腸菌・黄色ブドウ菌・サルモネラ菌等を極めて短時間に死滅させることができる。【０００７】  従来のナプキンに消毒液を含ませて拭取り作業をしたり、使い捨てシートなどの必要はなく、また便座そのものの材質に坑菌性をもたせたりすることに拘らず、便蓋を閉じる際にスムーズに作動する機能を持つものであれば、従来の便座ユニットへの応用が可能であり、汎用性は高い。
【発明の実施をするための最良の形態】
【０００８】  以下本発明の実施の形態を図１〜図４に基づいて説明する。
【０００９】  図１は、便座ユニットの便蓋を開いた状態の、「便座形遠紫外線殺菌灯ユニット」の全体斜視図である。２の便蓋裏側には、本発明の心臓部とも言える３の殺菌灯カバーで被われた「便座形遠紫外線殺菌灯ユニット」が装着されているが、このカバーの素材については、強度性に優れ、遠紫外線の透過率を阻害しない、装着した時点で見て違和感を与えない、に適合するものであれば図で示した、薄い金属板に無数のパンチ穴を開けたカバーに、特にこだわるものではない。このカバーの装着は４並びに６で示したＬ型の細いツバを持たせて製作されているが、その目的の一つはカバーの強度を増させる役割と、もう一つはユニット全体を便蓋裏側に固定装着させるビス穴を開ける場所に、少しの膨らみ部を設ければよいことの二つの役割を果たすこととなる。そして５並びに７のビス穴は計７ケ所装備され、成形時に便蓋裏側に埋め込まれた７ケ所のナット部に、ビス止めされ装着される。このカバーの形状は便座の形に近い形でデザインされ成形される事により、便蓋が閉じる時点でほぼ真上から、遠紫外線殺菌灯光を照射できる位置に必然的にスタンバイすることになり、便蓋が閉じる時便座上を平均的に、且的確に殺菌光が照射できる領域に達した時点で殺菌灯の電源が入り、殺菌が終わると、自動的に電源はＯＦＦとなる装置を備えさせる。これにより必要以上の電力の無駄を省くことが可能となった。又、９の衝撃吸収パットは従来の便座ユニットに於て使用されているものである。殺菌装置としての便座形殺菌灯ユニットの脱装着は、先記の通り計７個のビスで便蓋裏側に確実に装着されるので、殺菌灯ユニットの脱装着は容易で、メンテナンス上の不便さを省くことが可能となった。
【００１０】  第２図の１１並びに１２は便蓋表面部に取付られた殺菌中表示ランプと殺菌済み表示ランプである。これを色分けし、例えば殺菌中は赤色、殺菌済みは青色などの表示などをすることにより、利用者に容易に使用可能かどうかを確認できるようにした。又、殺菌灯の配置について１３は外側殺菌灯を、１４は内側殺菌灯の装着状態を、便蓋の表面側から内部状態を透視したものである。
【００１１】  第３図は本発明の目的である「殺菌便座」を実現させるための中核をなす遠紫外線殺菌灯ユニットを説明する断面図である。遠紫外線殺菌灯の性能をいかにして便座上に発揮させるか、又、水銀を使用しているランプをいかに安全に活用できるかなどを具体的に実現させた独自の形態でもある。さてこの「便座形遠紫外線殺菌灯ユニット」は３の殺菌灯カバー、１５の独自の形状をもつ反射板、１３と１４の２本の最も殺菌効果の高い殺菌灯、１６の殺菌灯を保持させるランプホルダーの四つで一体をなし、便蓋に埋め込まれた７ケ所のビス止めナット部に、７個のビスネジで固定される。このユニットは独自の形態をなしているが、その説明はすでに「０００９」で述べた通りである。又、外側ランプ１３と内側ランプ１４の装着位置の高さをずらし、さらに図に示した形状の反射板１５を装着することで、より殺菌効果を発揮できるように工夫し、これら一連の組み合わせにより最も効果的に殺菌効果を得ることが可能となった。又、殺菌灯の電源に関してもユニットと一緒の脱装着が求められるが、殺菌灯に差し込まれた電源プラグ１７と１８は反射板の内側に位置するので、ユニット交換時に同時に電源も容易に脱装着させるために、反射板から外に引き出された２つの電源線に２個のコネクターを設け、これを抜き差しすれば、ユニットと電源も同時に簡単に脱装着できるように工夫し解決した。これによりドライバー一本で誰でも簡単に、容易にユニットのメンテナンスが可能となった。当ユニットは便蓋裏側に取付け固定した時点で、最も効果的に求める殺菌効果を充分発揮できるように特に製作されたものであり、これが本発明の目的となる「便座形遠紫外線殺菌灯ユニット」である。
【００１２】  第４図は、２連式のランプの設置形態と、何故２連式にしたの説明図でもある。まず２連式を必要した説明を述べると、殺菌灯の光照射に関して、殺菌ランプの１７の差込み部のプラグ受け部は光放出をしないこと、さらにランプホルダー取付部においては照射光は妨げられることを解決する為、わざわざランプを２連式にし、内側ランプと外側ランプの高さ位置をずらし、外側ランプと内側ランプの電源導入部の位置を、図で示すように左右にずらし、さらに内側、外側のランプホルダーの位置も図の示すように各々ずらすことで、求める殺菌効果を得られるようにした。但し２連式にした為に各ランプの電源の脱装着は、１７の殺菌灯への差し込みプラグはそのまま取り外さずに、１７ａ並びに１７ｂの抜き差しで電源の脱装着をし、１８のプラグも取付たままにて、１８ａ並び１８ｂで電源の抜き差しを可能とし、ユニット全体を簡単に脱装着ができるようにして解決した。
【図面の簡単な説明】
【００１３】
【図１】  便座形遠紫外線殺菌灯ユニットの全体斜視図
【図２】  殺菌灯設置透視図
【図３】  殺菌便蓋ユニット断面図
【図４】  殺菌設置透視図
【符号の説明】
【００１４】        １  便蓋
２  便蓋裏側
３  殺菌灯カバー
４  殺菌灯カバー外側Ｌ型ツバ
５  殺菌灯カバー外側ビス止め部
６  殺菌灯カバー内側Ｌ型ツバ
７  殺菌灯カバー内側ビス止め部
８  ユニット回動支持部
９  便蓋ショック吸収パット
１０  便座
１１  殺菌中表示ランプ
１２  殺菌済表示ランプ
１３  外側殺菌灯
１４  内側殺菌灯
１５  殺菌灯反射板
１６  ランプホルダー
１７  外側ランプ電源凹差し込み
１７ａ  外側ランプ電源凸差し込み
１７ｂ  外側ランプ電源凹差し込み
１８  内側ランプ電源差し込み
１８ａ  内側ランプ電源凸差し込み
１８ｂ  内側ランプ電源凹差し込み
【図１】
2005137822.tif 000003
【図２】
2005137822.tif 000004
【図３】
2005137822.tif 000005
【図４】
2005137822.tif 000006
【手続補正書】
【提出日】平成15年12月22日(2003.12.22)
【手続補正１】
【補正対象書類名】特許請求の範囲
【補正対象項目名】全文
【補正方法】変更
【補正の内容】
【特許請求の範囲】
【請求項１】
紫外線殺菌灯の形状を、便座の平面図の形に近い楕円形、もしくは便座表面の形状に合わせて製作し、便蓋に装着すること。
【請求項２】
紫外線殺菌灯・殺菌灯カバー・反射板・ランプホルダー・電源コネクターなど、個々の持つ機能を組み合わせて一組にし、いわゆる「殺菌灯ユニット」を、便座の平面図の形に近い楕円形、もしくは便座表面の形状に合わせて製作し、これを便座蓋あるいは同様の機能をもつものに装着設置し、便座表面を直接照射できるようにすること。
【請求項３】
紫外線殺菌灯、その他便座の殺菌の為の装置の装着場所を「便座蓋の裏側」に特定する。
【手続補正２】
【補正対象書類名】明細書
【補正対象項目名】全文
【補正方法】変更
【補正の内容】
【発明の詳細な説明】
【技術分野】
【０００１】  本発明はトイレで使用する暖房便座、あるいは洗浄便座などの便座ユニットに関するものである。
【技術背景】
【０００２】  従来の中圧や高圧水銀灯に比較して、低圧でＵＶ−Ｃ出力効率が格段に高く、ランプの寿命は８０００時間、約１０秒間の照射で、充分な殺菌力を発揮する、遠紫外線による長寿命殺菌灯が商品化された。
【非特許文献１】「日本フィリップス株式会社  紫外線低圧水銀ランプカタログ」
【発明の開示】
【発明が解決しようとする課題】
【０００３】  便座ユニットのなかで、人の肌が直接接触する部分で、しかも雑菌に犯されやすい便座を清潔にしたい。誰でも簡単に、短時間にくり返し使用できる殺菌装置。
【課題を解決するための手段】
【０００４】  第一には「０００２」の技術背景にある１８０〜４００ｎｍの紫外線領域のなかから、特に殺菌能力の高い２５３・７の波長をもつＵＶ−Ｃランプを便座の形状に合わせて製作し、他の個々の異なった機能を生かして組み合わせた「便座形遠紫外線殺菌灯ユニット」を考案し、これを便座に直接照射することで充分な殺菌力を得られることが判明した。【０００５】  第二には、便座表面から１０ｃｍ程度の至近距離から、約１５秒間の一定時間、その紫外線光波をなるべく平均的に、しかも殺菌効果を発揮しやすい間近から照射する殺菌装置の「便座形遠紫外線殺菌灯ユニット」の装着場所を工夫することにあったが、これを便蓋が閉じる時点で、便座の真上に位置する便蓋の「裏側の活用」に求めたことにより解決した。
【発明の効果】
【０００６】  「０００４」及び「０００５」を組合わせることにより遠紫外線殺菌灯のもつ能力を便座上に引き出すことが可能となり、Ｏ−１５７を含む大腸菌・黄色ブドウ菌・サルモネラ菌等を極めて短時間に死滅させることができる。【０００７】  従来のナプキンに消毒液を含ませて拭取り作業をしたり、使い捨てシートなどの必要はなく、また便座そのものの材質に坑菌性をもたせたりすることに拘らず、便蓋を閉じる際にスムーズに作動する機能を持つものであれば、従来の便座ユニットへの応用が可能であり、汎用性は高い。
【発明の実施をするための最良の形態】
【０００８】  以下本発明の実施の形態を図１〜図４に基づいて説明する。
【０００９】  図１は、便座ユニットの便蓋を開いた状態の、「便座形遠紫外線殺菌灯ユニット」装着の全体斜視図である。２の便蓋裏側には本発明の心臓部とも言える３の殺菌灯カバーで被われた「便座形遠外線殺菌灯ユニット」が装着されているが、このカバーの素材については、強度性に優れ、遠紫外線の透過率を阻害しない、装着した時点で見て違和感を与えない、に適合するものであれば図で示した、薄い金属板に無数のパンチ穴を開けたカバーに、特にこだわるものではない。このカバーの装着は、４並びに６で示した細いＬ型ツバを持たせて製作されているが、その目的の一つはカバー並びに便蓋の強度を増させる役割と、もう一つはユニット全体を便蓋裏側に固定装着させるビス穴を開ける際に、少しの膨らみ部を設ければ良いことの二つの役割を果たすこととなる。そして５並びに７のビス穴は計７ケ所装備され、成形時に便蓋裏側に埋め込まれた７ケ所のナット部に、ビス止めされ装着される。このカバーの形状は便座の形に近い形でデザインされ成形される事により、便蓋が閉じる時点でほぼ真上から、遠紫外線殺菌灯光を照射できる位置に必然的にスタンバイすることになり、便蓋が閉じる時便座上を平均的に、且的確に殺菌光が照射できる領域に達した時点で殺菌灯の電源が入り、殺菌が終わると、自動的に電源はＯＦＦとなる装置を備えさせる。これにより必要以上の電力の無駄を省くことが可能となった。又、９の衝撃吸収パットは、従来の便座ユニットに於て使用されているものである。殺菌装置としての便座形殺菌灯ユニットの脱装着は、先記の通り計７個のビスで便蓋裏側に装着されるので、殺菌灯ユニットの脱装着は容易で、メンテナンス上の不便さを省くことが可能となった。
【００１０】  第２図の１１並びに１２は便蓋表面部に取付られた殺菌中表示ランプと殺菌済み表示ランプである。これを色分けし、例えば殺菌中は赤色、殺菌済みは青色などの表示などをすることにより、利用者に容易に使用可能かどうかを確認できるようにした。又、殺菌灯の配置について１３は外側殺菌灯を、１４は内側殺菌灯の装着状態を、便蓋の表面側から内部状態を透視したものである。
【００１１】  第３図は本発明の目的である「殺菌便座」を実現させるための中核をなす遠紫外線殺菌灯ユニットを説明する断面図である。当殺菌灯の性能をいかにして便座上に発揮させるか、又、水銀を使用しているランプを、いかに安全に活用させるか等を具体的に実現させた独自の形態でもある。さてこの「便座形遠紫外線殺菌灯ユニット」は３の殺菌灯カバー、１５の独自の形状をもつ反射板、１３と１４の２本の最も殺菌効果の高い殺菌灯、１６の殺菌灯を保持させるランプホルダーの４つで一体をなし、便蓋に埋め込まれた７ケ所のビス止めナット部に、７個のビスネジで固定される。このユニットは独自の形態をなしているが、その説明はすでに「０００９」で述べた通りである。又、外側殺菌灯１３と内側殺菌灯１４の装着位置の高さをずらし、さらに図に示した形状の反射板１５を装着することで、より殺菌効果を発揮できるように工夫し、これら一連の組み合わせにより最も効果的に殺菌効果を得ることが可能となった。又、殺菌灯の電源に関してもユニットと一緒の脱装着が求められるが、殺菌灯に差し込まれた電源プラグ１７と１８は反射板の内側に位置する為、ユニット交換時に同時に電源も容易に脱装着させるために、反射板から外に引き出された２つの電源線に２個のコネクターを設け、これを抜き差しすれば、ユニットと電源も同時に簡単に脱装着できるように工夫し解決した。これによりドライバー１本で誰でも簡単に、容易にユニットのメンテナンスが可能となった。当ユニットは便蓋裏側に取付け固定した時点で、最も効果的に求める殺菌効果を充分発揮できるように特に製作されたものであり、これが本発明の目的となる「便座形遠紫外線殺菌灯ユニット」である。
【００１２】  第４図は２連式ランプとランプホルダー、及び電源コネクター等の関連を示すものであるが、コネクターについては、殺菌灯ユニットの脱装着の工夫として「００１１」に於て説明の通りである。殺菌ランプは直射光であれば１本で充分な殺菌力を有しているが、以下の理由により２連式とした。第１は１６のランプホルダー及び電源プラグの部分は、発光しないか、もしくは照射を妨げられる部分であるので、光源を２極化し、それぞれの位置を図のようにずらして配置することにより解消することができる。第２は、殺菌灯ユニットのランプカバーに透明性の材質を採用した場合は、材質による透過率の低下が考えられ、これを補うこと、又、金属板にパンチ穴を開けたり、金属製のメッシュ状のもの等を使用した場合に生ずる死角に対し、光源の２極化と、内側と外側ランプに高低差を設けること、更に反射板による相乗効果と相まって、様々の入射角・反射角・乱反射などを発生せしめる等、照射条件を多様化することにより殺菌効果の低下や、死角部分の補完を企図することができる。それらの関連を示す図である。
【図面の簡単な説明】
【００１３】
【図１】  便座形遠紫外線殺菌灯ユニット装着全体斜視図
【図２】  殺菌灯装着透視図
【図３】  殺菌便蓋ユニット断面図
【図４】  ランプ電源コネクターとランプホルダー
【符号の説明】
【００１４】      １  便蓋
２  便蓋裏側
３  殺菌灯カバー
４  殺菌灯カバー外側Ｌ型ツバ
５  殺菌灯カバー外側ビス止め部
６  殺菌灯カバー内側Ｌ型ツバ
７  殺菌灯カバー内側ビス止め部
８  ユニット回動支持部
９  便蓋ショック吸収パット
１０  便座
１１  殺菌中表示ランプ
１２  殺菌済表示ランプ
１３  外側殺菌灯
１４  内側殺菌灯
１５  殺菌灯反射板
１６  ランプホルダー
１７  外側ランプ電源凹差し込み
１７ａ  外側ランプ電源凸差し込み
１７ｂ  外側ランプ電源凹差し込み
１８  内側ランプ電源凹差し込み
１８ａ  内側ランプ電源凸差し込み
１８ｂ  内側ランプ電源凹差し込み
１９  コネクターと配線収納空間部
【手続補正３】
【補正対象書類名】図面
【補正対象項目名】全図
【補正方法】変更
【補正の内容】
【図１】
2005137822.tif 000007
【図２】
2005137822.tif 000008
【図３】
2005137822.tif 000009
【図４】
2005137822.tif 000010
【手続補正書】
【提出日】平成16年2月17日(2004.2.17)
【手続補正１】
【補正対象書類名】特許請求の範囲
【補正対象項目名】全文
【補正方法】変更
【補正の内容】
【特許請求の範囲】
【請求項１】
紫外線殺菌ランプを用いて、便座を殺菌する方法。
【請求項２】
便座蓋に殺菌ランプなどの殺菌機能を持つ器具を装着して、被射体である便座の間近から、簡単に正確に、反復できる器具として便座蓋を転用、もしくは同様の反復機能などを有するものに、殺菌器具を装着して便座の殺菌装置とする方法。
【請求項３】
殺菌ランプ、もしくは殺菌ランプユニットの形状を、被射体の便座の平面図に近い形状に成形し装着することで、便座の表面の全ての位置において、近距離から平均的に光波を照射できるようにする方法。